(57)【要約】【課題】  コネクタ同士の結合の際には誤差を吸収するために一定範囲で自由に動き、結合が解除されているときには中心位置に戻すことによって、最小限の隙間で確実に接離可能なコネクタを提供すること。【解決手段】コネクタのハウジングを可動基板に搭載し、コネクタにおける他のコネクタとの接離部分を、固定側のクレードルハウジングのコネクタ設置用窓に隙間を持って臨ませ、可動側のコネクタを隙間の範囲内で自由に動くように構成したフローティング構造を有するコネクタにおいて、固定的なクレードルハウジング側と記由に動くコネクタ側との間に、これらと別部材からなり、コイルバネ、棒状体、Ｏリングなどのいずれかからなる弾性部材を介在し、コネクタと他のコネクタとの結合を解除したときの弾性部材の復帰力によりコネクタを元の位置に戻すようにしたコネクタである。【選択図】    図１
2005129453.tif 000002
【特許請求の範囲】
【請求項１】
コネクタのハウジングを可動基板に搭載し、前記コネクタにおける他のコネクタとの接離部分を、固定側のクレードルハウジングのコネクタ設置用窓に隙間を持って臨ませ、前記可動側のコネクタを前記隙間の範囲内で自由に動くように構成したフローティング構造を有するコネクタにおいて、前記固定的なクレードルハウジング側と前記自由に動くコネクタ側との間に、これらと別部材からなる弾性部材を介在し、前記コネクタと他のコネクタとの結合を解除したときの前記弾性部材の復帰力により前記コネクタを元の位置に戻すようにしたことを特徴とするフローティング構造を有するコネクタ。
【請求項２】
コネクタのハウジングを可動基板に搭載し、前記コネクタにおける他のコネクタとの接離部分を、固定側のクレードルハウジングのコネクタ設置用窓に隙間を持って臨ませ、前記可動側のコネクタを前記隙間の範囲内で自由に動くように構成したフローティング構造を有するコネクタにおいて、前記固定的なクレードルハウジング側と前記自由に動くコネクタ側との間に、これらと別部材からなり、前記コネクタと他のコネクタとの挿抜方向と略同一方向に伸縮するとともに、この伸縮方向と異なる全方向に揺動可能なコイルバネからなる弾性部材を介在し、前記コネクタと他のコネクタとの結合を解除したときの前記弾性部材の復帰力により前記コネクタを元の中心位置に戻すようにしたことを特徴とするフローティング構造を有するコネクタ。
【請求項３】
コネクタのハウジングを可動基板に搭載し、前記コネクタにおける他のコネクタとの接離部分を、固定側のクレードルハウジングのコネクタ設置用窓に隙間を持って臨ませ、前記可動側のコネクタを前記隙間の範囲内で自由に動くように構成したフローティング構造を有するコネクタにおいて、前記固定的なクレードルハウジング側と前記自由に動くコネクタ側との間に、これらと別部材からなり、前記コネクタと他のコネクタとの挿抜方向と略同一方向に細長く、この長さ方向と異なる全方向に屈曲可能な棒状の弾性部材を介在し、前記コネクタと他のコネクタとの結合を解除したときの前記弾性部材の復帰力により前記コネクタを元の中心位置に戻すようにしたことを特徴とするフローティング構造を有するコネクタ。
【請求項４】
コネクタのハウジングを可動基板に搭載し、前記コネクタにおける他のコネクタとの接離部分を、固定側のクレードルハウジングのコネクタ設置用窓に隙間を持って臨ませ、前記可動側のコネクタを前記隙間の範囲内で自由に動くように構成したフローティング構造を有するコネクタにおいて、前記固定的なクレードルハウジング側と前記自由に動くコネクタ側との間であって、前記固定的なクレードルハウジングの内側の複数箇所に円形の軸部を設け、この軸部を、前記自由に動くコネクタ側のハウジングに設けられ、前記軸部の直径よりも大きな直径で構成した孔に遊嵌し、前記軸部と孔との間に、前記固定的なクレードルハウジング側と前記自由に動くコネクタ側と別部材であって、かつ、Ｏリングからなる弾性部材を介在し、前記コネクタと他のコネクタとの結合を解除したときの前記弾性部材の復帰力により前記コネクタを元の中心位置に戻すようにしたことを特徴とするフローティング構造を有するコネクタ。
【発明の詳細な説明】
【技術分野】
【０００１】
本発明は、デジタルカメラ、携帯電話、デジタルビデオカメラ等の電子機器側に設けたコネクタと、充電器等のクレードル側に設けたコネクタとの間を結合する際に、一方のコネクタに前後左右に移動するための自由度を持たせて、コネクタ同士の結合の位置ずれを吸収するためのフローティング構造を有するコネクタに関するものである。
【背景技術】
【０００２】
デジタルカメラ、携帯電話、デジタルビデオカメラ等の電子機器をクレードルに接続した状態で他の電子機器との情報の送受信を行ったり、又は、充電したりすることが従来より行われている。この場合に、デジタルカメラ、携帯電話、デジタルビデオカメラ等とクレードルとの間は、相互にコネクタで接続されることとなる。例えば、図５に示すように、クレードル１１にデジタルカメラ１２を載せる場合が考えられ、デジタルカメラ１２側のコネクタ１４は、クレードル側のコネクタ１３と結合して情報の送受信、充電等が行われる。ここで、嵌合し易さを考慮してクレードル１１の両側には、デジタルカメラ１２の幅に対してわずかな隙間１５が設けてある。このため、クレードル側のコネクタ１３は、この隙間１５のずれを吸収できる構造となっている必要がある。これは、図６に示すように奥行きに関しても同様で、従って、前後、左右、斜めの全方向に自由度を持ったフローティング構造とすることで対応している。
【０００３】
図６において、クレードル１１の内部には、固定基板１８と可動基板２３とが設けてあり、これらの間は、ＦＦＣ（Flexible Flat Cable）などの可撓性ケーブル１９で接続されており、このうち可動基板２３側にコネクタ１３がクレードル１１のハウジングとの間の全周に隙間２０を有しつつ設けられている。これにより、デジタルカメラ１２のずれに対して、コネクタ１３を設けた可動基板２３全体が動くことで対応している。
【０００４】
さらに詳しいフローティング構造について、図７を用いて説明する。図７において、クレードル１１側のコネクタ１３は、コネクタハウジング２２に収納されており、このコネクタハウジング２２は、可動基板２３に固定された状態で、コネクタ１３の全周にクレードル１１のハウジングと隙間２０を有している。この隙間２０の両側の２個所には、クレードル１１におけるハウジングの下面に突出させてボス２１が形成されている。このボス２１の下面には、ワッシャ２５を介して可動基板２３がネジ２６によって取付けられるが、このとき、コネクタハウジング２２と可動基板２３には、ネジ２６の軸部２４の直径よりも大きく、かつ、ボス２１の直径よりも小さい円形の孔２７が形成されているので、円形の軸部２４の外周に隙間が設けられる。この軸部２４の高さは、コネクタハウジング２２と可動基板２３を重ねた高さよりも高くして、横移動のための隙間２８を有する構成となっている。このように、コネクタハウジング２２と可動基板２３からなる部分は、水平な全方向には孔２７による隙間の分だけ動くことができ、垂直方向には隙間２８の分だけ動くことができる構成となっている。
【０００５】
このような構成に加えて、さらに、図４に示すように、クレードル１１側のコネクタ１３（いわゆる雌型コネクタ）の上部内側にテーパー面１６を設けるとともに、デジタルカメラ側のコネクタ１４（いわゆる雄型コネクタ）の下部外側にテーパー面１７を設けることによって、位置ずれに対してテーパー面同士が接触しながら誘導してクレードル側のコネクタ１３及び可動基板２３を動かすため、テーパー面１６，１７が接触する範囲内（図４における矢印の範囲Ｌ）であれば、ずれを吸収することが可能となる。
このような、可動基板２３とボス２１との間に孔２７による隙間を設けることによってフローティング構造を構成しているものとして、例えば、特許文献１が挙げられる。
【特許文献１】特開平０８−１３８８０１号公報
【発明の開示】
【発明が解決しようとする課題】
【０００６】
上記のようなコネクタのフローティング構造は、テーパー面１６，１７が接触する範囲内でずれを吸収することが可能であるが、図７に示すように、クレードル１１側のコネクタ１３は、孔２７のいずれか一方に片寄ってしまうことがあるため、テーパー面１６，１７だけでは吸収しきれない可能性があった。例えば、図４において、デジタルカメラ側のコネクタ１４が一点鎖線で示すように右側にずれてクレードル１１側のコネクタ１３と結合した場合には、その後、結合を解除してもクレードル１１側のコネクタ１３は、その位置に留まることになり、その状態でデジタルカメラ側のコネクタ１４が二点鎖線で示すように左側にずれて嵌め込まれた場合には、コネクタ同士のずれが最大となるため、ずれが大きすぎてテーパー面１６，１７同士が接触できないおそれがあった。このような問題点を解決するためには、テーパー面を大きく取ればよいが、コネクタ全体の構造が小型化の傾向にあり、テーパー面を大きく取ることが困難になってきているという問題があった。
【０００７】
また、図６に示すように、クレードル１１側のコネクタ１３は、可動基板２３上に形成されており、この可動基板２３自体は、可撓性ケーブル１９によって固定基板１８と結合されているが、コネクタ同士の結合の際には誤差を吸収するために一定範囲で自由に動いた後で、結合が解除されてもその位置にとどまることにより、可撓性ケーブル１９は、変形したり、捩じれたままとなってしまうことがある。そのため、その変形や捩じれによる折り曲げや位置関係によっては、可撓性ケーブル１９が可動基板２３に対して一方向に力を加えるような状態となり、自由に動くはずのコネクタ１３が、ある一方向に引っ張られた状態で固定されてしまう可能性があった。
【０００８】
本発明は、上記問題点に鑑みなされたもので、デジタルカメラ等のコネクタとクレードル側に設けたコネクタとの間を結合する場合の一方のコネクタのフローティング構造に関し、結合の際には誤差を吸収するために一定範囲で自由に動くことができ、かつ、結合が解除されているときには中心位置に戻るセンタリング構造を持ったコネクタを提供することを目的とするものである。
【課題を解決するための手段】
【０００９】
請求項１記載の発明は、コネクタのハウジングを可動基板に搭載し、前記コネクタにおける他のコネクタとの接離部分を、固定側のクレードルハウジングのコネクタ設置用窓に隙間を持って臨ませ、前記可動側のコネクタを前記隙間の範囲内で自由に動くように構成したフローティング構造を有するコネクタにおいて、前記固定的なクレードルハウジング側と前記自由に動くコネクタ側との間に、これらと別部材からなる弾性部材を介在し、前記コネクタと他のコネクタとの結合を解除したときの前記弾性部材の復帰力により前記コネクタを元の位置に戻すようにしたことを特徴とするフローティング構造を有するコネクタである。
【００１０】
請求項２記載の発明は、コネクタのハウジングを可動基板に搭載し、前記コネクタにおける他のコネクタとの接離部分を、固定側のクレードルハウジングのコネクタ設置用窓に隙間を持って臨ませ、前記可動側のコネクタを前記隙間の範囲内で自由に動くように構成したフローティング構造を有するコネクタにおいて、前記固定的なクレードルハウジング側と前記自由に動くコネクタ側との間に、これらと別部材からなり、前記コネクタと他のコネクタとの挿抜方向と略同一方向に伸縮するとともに、この伸縮方向と異なる全方向に揺動可能なコイルバネからなる弾性部材を介在し、前記コネクタと他のコネクタとの結合を解除したときの前記弾性部材の復帰力により前記コネクタを元の中心位置に戻すようにしたことを特徴とするフローティング構造を有するコネクタである。
【００１１】
請求項３記載の発明は、コネクタのハウジングを可動基板に搭載し、前記コネクタにおける他のコネクタとの接離部分を、固定側のクレードルハウジングのコネクタ設置用窓に隙間を持って臨ませ、前記可動側のコネクタを前記隙間の範囲内で自由に動くように構成したフローティング構造を有するコネクタにおいて、前記固定的なクレードルハウジング側と前記自由に動くコネクタ側との間に、これらと別部材からなり、前記コネクタと他のコネクタとの挿抜方向と略同一方向に細長く、この長さ方向と異なる全方向に屈曲可能な棒状の弾性部材を介在し、前記コネクタと他のコネクタとの結合を解除したときの前記弾性部材の復帰力により前記コネクタを元の中心位置に戻すようにしたことを特徴とするフローティング構造を有するコネクタである。
【００１２】
請求項４記載の発明は、コネクタのハウジングを可動基板に搭載し、前記コネクタにおける他のコネクタとの接離部分を、固定側のクレードルハウジングのコネクタ設置用窓に隙間を持って臨ませ、前記可動側のコネクタを前記隙間の範囲内で自由に動くように構成したフローティング構造を有するコネクタにおいて、前記固定的なクレードルハウジング側と前記自由に動くコネクタ側との間であって、前記固定的なクレードルハウジングの内側の複数箇所に円形の軸部を設け、この軸部を、前記自由に動くコネクタ側のハウジングに設けられ、前記軸部の直径よりも大きな直径で構成した孔に遊嵌し、前記軸部と孔との間に、前記固定的なクレードルハウジング側と前記自由に動くコネクタ側と別部材であって、かつ、Ｏリングからなる弾性部材を介在し、前記コネクタと他のコネクタとの結合を解除したときの前記弾性部材の復帰力により前記コネクタを元の中心位置に戻すようにしたことを特徴とするフローティング構造を有するコネクタである。
【発明の効果】
【００１３】
請求項１記載の発明によれば、弾性を持った部材を追加してこの弾性部材の弾性力を用いることで、結合の際には誤差を吸収するために一定範囲で自由に動き、かつ、結合が解除されているときには元の位置に戻るセンタリング構造を持ったコネクタを提供することができる。従って、クレードルハウジングのコネクタ設置用窓に形成される隙間を従来に比較して大幅に小さくしながら、コネクタ相互間の最大のずれに対応できる。さらに、コネクタ相互間の接離時の破損や接続不良を防止できる。
【００１４】
請求項２記載の発明によれば、コイルバネからなる簡単な構成の弾性部材を追加してこの弾性力を用いることで、結合の際には誤差を吸収するために全方向に自由に動き、かつ、結合が解除されているときには中心位置に戻るセンタリング構造を持ったコネクタを提供することができる。また、コイルバネからなる弾性部材は、コネクタのハウジングを可動基板に搭載する場合において、幅方向に余裕があり、高さ方向に余裕のない場合に好適である。
【００１５】
請求項３記載の発明によれば、コネクタの挿抜方向と同一方向に細長く形成した弾性部材を追加してこの弾性部材の弾性力を用いることで、結合の際には誤差を吸収するために全方向に自由に動き、かつ、結合が解除されているときには中心位置に戻るセンタリング構造を持ったコネクタを提供することができる。また、細長い弾性部材は、コネクタのハウジングを可動基板に搭載する場合において、高さ方向に余裕があり、幅方向に余裕のない場合に好適である。
【００１６】
請求項４記載の発明によれば、Ｏリングからなる弾性部材を追加してこの弾性部材の弾性力を用いることで、結合の際には誤差を吸収するために一定範囲で自由に動き、かつ、結合が解除されているときには中心位置に戻るセンタリング構造を持ったコネクタを提供することができる。Ｏリングからなる弾性部材を嵌合すればよいから、従来の機器を簡単に改良できる。
【発明を実施するための最良の形態】
【００１７】
本発明は、デジタルカメラ等の電子機器とクレードルとの間のコネクタのフローティング構造において、結合の際には誤差を吸収するために全方向に自由に動くことができ、かつ、結合が解除されたときには中心位置に戻るセンタリング構造を持ったコネクタを提供するために、弾性を持った部材を追加して、その弾性力によってコネクタを中心位置に戻すように構成したものである。
【実施例１】
【００１８】
本発明の第１の実施例を図１に基づいて説明する。
図１において、クレードル１１側のハウジング３２には、コネクタ１３が突出する部分にコネクタ設置用窓２９が設けられ、また、ハウジング３２の下面には、前記コネクタ設置用窓２９の両側に位置してそれぞれ円筒形のボス３３が設けられている。前記コネクタ設置用窓２９の内側には、コネクタ１３を保護するコネクタハウジング３０が、コネクタ設置用窓２９との間に隙間３１を有しつつ遊嵌している。前記コネクタ１３は、可動基板２３に接続され、この可動基板２３は、コネクタハウジング３０の下側に取付けられている。また、コネクタハウジング３０には、前記ボス３３を遊嵌するようにボス３３の外径よりも大きな内径を持った円筒部３６が隙間３７を有しつつ設けられ、また、円筒部３６はボス３３の高さよりも低い高さで構成されている。そして、円筒部３６が隙間３７を持ってボス３３の外周に遊嵌された状態で、ボス３３には円筒部３６の内径よりも直径の大きな摺動用のワッシャ３４がネジ３５によって固定されている。
【００１９】
前記クレードル１１側のハウジング３２における下面であってボス３３の外側には少なくとも２個の円形の係止用凸部３８が設けられ、また、コネクタハウジング３０における前記係止用凸部３８と相対する上面部分には係止用凸部３９が設けられ、これらの係止用凸部３８と係止用凸部３９の間には、弾性部材としてのコイルバネ４０が係止されている。このコイルバネ４０は、固定側の係止用凸部３８にコイルバネ４０の一端を固定した状態で可動側の係止用凸部３９にコイルバネ４０の他端を、伸縮方向に対して垂直な方向に移動させた場合に、隙間３７の分だけ全方向に自由に移動し、かつ、隙間３７の分の移動量であれば常に復帰力が働いて中央に戻るようなものである。
【００２０】
上記のような構成とすることにより、クレードル１１側のハウジング３２におけるボス３３の全周囲にコネクタハウジング３０の円筒部３６が隙間３７を持って設置され、また、コネクタ１３とコネクタ設置用窓２９との間には隙間３１が設けてあるため、コネクタ１３、コネクタハウジング３０及びその下側に設けた可動基板２３の全体は、隙間３７の範囲内で全方向に自由に動くフローティング構造となり、また、少なくとも２個所以上にコイルバネ４０を設けることにより、コイルバネの伸縮方向に対して垂直な方向へ移動しても、復帰力が働いて常に中央に戻ることができる。
【実施例２】
【００２１】
本発明の第２の実施例を図２に基づいて説明する。
前記実施例では、全方向に動くフローティング構造のコネクタを中央に戻すための弾性部材として、コイルバネの伸縮方向と垂直な方向に対する復帰力を用いたが、本発明はこれに限られるものではない。図２は、本発明の第２の実施例を示したものであり、コイルバネの代わりにプラスチック、金属等の棒状の弾性部材の弾性力を用いてコネクタを中央に戻す構造を採用したものである。
【００２２】
図２において、クレードル側のハウジング４３には、コネクタ１３の突出する部分にコネクタ設置用窓４４が設けられ、このコネクタ設置用窓４４の内側には、コネクタ１３を保護するコネクタハウジング４１が、コネクタ設置用窓４４との間に隙間４２を有しつつ遊嵌している。このコネクタ１３の接続されている可動基板２３は、コネクタハウジング４１の下側に取付けられており、このコネクタハウジング４１は、下方から支持用ハウジング４５の支持部材４６によって摺動自在に支えられている。
【００２３】
また、コネクタハウジング４１の端部には、少なくとも２個の係止孔４７が設けられ、また、支持用ハウジング４５の上面には、前記係止孔４７に相対する位置に係止孔４８が設けられ、この係止孔４７、４８の間に棒状で両端に?を有するの弾性部材４９又は上から下まで同一径の棒等の弾性部材５０が係止されている。これにより、一体に設けられたコネクタ１３、コネクタハウジング４１及び可動基板２３の全体を下から支えつつ、弾性部材４９又は５０の弾性力によって中央に戻る復帰力を得ている。ここで、図２の左側に示す弾性部材４９は、上端と下端に?を有する金属、プラスチック柱で形成した場合の弾性部材の例を示している。また、図２の右側に示す弾性部材５０は、上下同一径の金属、プラスチックの棒で形成した場合の弾性部材の例を示したものである。どちらの場合も弾性力を発揮させるためにある程度の高さが必要であり、強度、弾性力、移動幅等を考慮して、弾性部材の太さ、長さ等を決定する。また、弾性部材の材質も上記プラスチックや金属に限定されるものではなく、弾性力を有する材質であればどのようなものでもよく、例えば、記憶合金、ワイヤーのようなものも適用することができる。
【００２４】
このように、コネクタ１３とコネクタ設置用窓４４との間には隙間４２が設けてあるため、コネクタ１３、コネクタハウジング４１及び可動基板２３の全体は、隙間４２の範囲内で全周方向に自由に動くフローティング構造となり、また、両側に細長い弾性部材４９、５０を設けたので、その弾性部材４９、５０の弾性力によって中央に戻る構造を採用することができる。この実施例２における構成は、実施例１のコイルバネ４０を用いた構成に比べて高さ方向にスペースが必要となるが、幅方向は実施例１よりも狭くすることが可能であるため、幅方向にスペースの余裕はないが高さ方向にスペースを十分に取ることができるような場合に適した構造である。
【実施例３】
【００２５】
本発明の第３の実施例を図３に基づいて説明する。
自由に動くフローティング構造を有したコネクタを中央に戻すための弾性部材として、前記実施例１ではコイルバネ４０の弾性力を用い、前記実施例２ではプラスチック又は金属等の棒状の弾性部材４９又は５０の弾性力を用いた例を説明したが、本発明はこれらの例に限られるものではない。
図３は、本発明の第３の実施例を示したものであり、フローティング構造を有したコネクタを中央に戻すための弾性部材としてゴム製のＯリング５１を用いたものである。このＯリング５１を採用するための具体例は、従来技術として説明した図７のフローティング構造において、その孔２７の周りの隙間部分にＯリング５１を嵌め込んだ構成となっている。
【００２６】
さらに詳しくは、図３において、ネジ２６の軸部２４の外周に形成された孔２７の隙間部分に、内径が円形の軸部２４の直径に等しく、外径がコネクタハウジング２２及び可動基板２３に形成した円筒形の孔２７の内径と等しいＯリング５１を嵌め込んで構成する。ここで、Ｏリング５１は、ゴム等の弾性力を持った素材で、かつ、変形に対して復帰力を有する素材で形成する。
【００２７】
このような構成とすることで、コネクタ１３、コネクタハウジング２２及び可動基板２３の全体は、孔２７の周りの隙間に設けたＯリング５１を変形させながら全周方向に動くフローティング構造となり、また、Ｏリング５１は、ゴム等の弾性部材を用いて構成したので、変形しても弾性力によって中央に戻る構造を採用することができる。この実施例３は、実施例１のコイルバネ４０を用いた場合と同様に、高さ方向にスペースの余裕はないが幅方向にスペースを十分に取ることができるような場合に適した構造であるといえる。なお、Ｏリング５１はゴム等の弾性力を持った素材で、かつ、変形に対して復帰力を有する素材で形成することとし、図３においては、内部がゴムの素材で詰まった例を示しているが、本発明はこれに限られるものではなく、例えば、中心部分が中空のチューブからなるＯリングとして構成することで弾性力を調整することもできる。
【産業上の利用可能性】
【００２８】
前記実施例１、２及び３においては、クレードルとデジタルカメラの間のセット間結合を行う場合を例として説明していたが、本発明はこれに限られるものではなく、コネクタ同士の結合であれば、どのようなセット間結合に対しても適用できるものである。
【図面の簡単な説明】
【００２９】
【図１】本発明のフローティング構造を有するコネクタの第１の実施例を示した断面図である。
【図２】本発明のフローティング構造を有するコネクタの第２の実施例を示した断面図である。
【図３】本発明のフローティング構造を有するコネクタの第３の実施例を示した断面図である。
【図４】テーパー面を採用してコネクタの結合を誘導する構造について説明した説明図である。
【図５】クレードルのコネクタとデジタルカメラ等のコネクタを結合する場合の例を示した説明図である。
【図６】図５の側方断面図である。
【図７】クレードルのコネクタとデジタルカメラ等のコネクタを結合する場合の従来例を具体的に示した断面図である。
【符号の説明】
【００３０】
１１…クレードル、１２…デジタルカメラ、１３…クレードル側のコネクタ、１４…デジタルカメラ側のコネクタ、１５…隙間、１６…テーパー面、１７…テーパー面、１８…固定基板、１９…可撓性ケーブル、２０…隙間、２１…ボス、２２…コネクタハウジング、２３…可動基板、２４…軸部、２５…ワッシャ、２６…ネジ、２７…孔、２８…隙間、２９…コネクタ設置用窓、３０…コネクタハウジング、３１…隙間、３２…クレードルハウジング、３３…ボス、３４…ワッシャ、３５…ネジ、３６…円筒部、３７…隙間、３８…係止用凸部、３９…係止用凸部、４０…バネ部材、４１…コネクタハウジング、４２…隙間、４３…クレードルハウジング、４４…コネクタ設置用窓、４５…支持用ハウジング、４６…支持部材、４７…係止孔、４８…係止孔、４９…弾性部材、５０…弾性部材、５１…Ｏリング。
【図１】
2005129453.tif 000003
【図２】
2005129453.tif 000004
【図３】
2005129453.tif 000005
【図４】
2005129453.tif 000006
【図５】
2005129453.tif 000007
【図６】
2005129453.tif 000008
【図７】
2005129453.tif 000009